(57)【要約】      （修正有）【課題】ユーザの手が多くの箸に触れることを抑制可能な箸ケースを提供する。【解決手段】箸ケース１は、ケース本体１０と、開閉部材７０とを具備する。ケース本体は、第１開口を有し、第１開口を介して補充される箸を収容可能である。開閉部材は、ケース本体の第１開口を開閉可能である。ケース本体は、ケース本体に収容される箸の基端部が配置される第１部分２０と、ケース本体に収容される箸の先端部が配置される第２部分３０と、第１部分に設けられ、ケース本体に収容される箸９を基端部９１側から取り出すための第２開口ＯＰ２とを有する。【選択図】図１
0003227632.tif 000002
【実用新案登録請求の範囲】
【請求項１】
第１開口を有し、前記第１開口を介して補充される箸を収容可能なケース本体と、
前記ケース本体の前記第１開口を開閉可能な開閉部材と
を具備し、
前記ケース本体は、
前記ケース本体に収容される前記箸の基端部が配置される第１部分と、
前記ケース本体に収容される前記箸の先端部が配置される第２部分と、
前記第１部分に設けられ、前記ケース本体に収容される前記箸を、前記基端部側から取り出すための第２開口と
を有する
箸ケース。
【請求項２】
前記第２開口の大きさは、１度に３本以上の前記箸を取り出し不能な大きさに設定されている
請求項１に記載の箸ケース。
【請求項３】
前記第２開口は、前記ケース本体の周壁に形成されており、
前記第２開口の高さ方向のサイズは、３０ｍｍ未満である
請求項２に記載の箸ケース。
【請求項４】
前記ケース本体は、
前記第１部分に配置される第１端壁と、
前記第２部分に配置される第２端壁と、
前記第１端壁と前記第２端壁とを連結する正面壁と
を有し、
前記第２開口は、前記第１端壁の一部と、前記正面壁の一部とに跨って形成されている
請求項１乃至３のいずれか一項に記載の箸ケース。
【請求項５】
前記ケース本体は、前記ケース本体に収容される前記箸を支持する支持部を有し、
前記支持部は、
次に取り出されるべき第１箸の基端部または次に取り出されるべき第１箸セットの基端部が前記第２開口を介して視認可能なように、前記第１箸または前記第１箸セットを支持する第１支持部と、
前記第１支持部によって支持される前の待機箸を支持し、前記待機箸を前記第１支持部に向けて案内する第２支持部と
を有する
請求項１乃至４のいずれか一項に記載の箸ケース。
【請求項６】
前記第２支持部の上面は、前記第１支持部に向かう側が低くなる第１傾斜面を有する
請求項５に記載の箸ケース。
【請求項７】
前記第２部分から前記第１部分に向かう方向を第１方向と定義するとき、前記第１傾斜面より上方の箸収容空間の前記第１方向に垂直な断面の断面積は、前記第２部分から前記第１部分に向かうにつれて大きくなるように構成されている
請求項６に記載の箸ケース。
【請求項８】
前記第１傾斜面は、前記箸の向き、あるいは、複数の前記箸間の間隔を規定する凹部を有する
請求項６または７に記載の箸ケース。
【請求項９】
前記第１支持部の上面は、前記第２部分から前記第１部分に向かうにつれて低くなる
請求項５乃至８のいずれか一項に記載の箸ケース。
【請求項１０】
前記箸が前記第１開口から取り出されるのを防止する取出防止機構を更に具備する
請求項１乃至９のいずれか一項に記載の箸ケース。
【考案の詳細な説明】
【技術分野】
【０００１】
本考案は、箸ケースに関する。
【背景技術】
【０００２】
箸を収容する箸ケースが知られている。箸ケースは、例えば、飲食店の客用テーブルに載置される。
【０００３】
関連する技術として、特許文献１には、箸箱が開示されている、特許文献１に記載の箸箱は、多数の箸を積み重ねて収容可能な箸収納室を備える箱体と、蓋体とを備える。特許文献１に記載の箸箱では、箱体の上方の大きな開口を介して箸が取り出される。このため、客が箱体から箸を取り出す際に、客の指先が多くの箸に触れやすい。
【先行技術文献】
【特許文献】
【０００４】
【特許文献１】実用新案登録第３１５６０３５号公報
【考案の概要】
【考案が解決しようとする課題】
【０００５】
本考案の目的は、ユーザの手が多くの箸に触れることを抑制可能な箸ケースを提供することである。
【課題を解決するための手段】
【０００６】
本考案は、以下に示す、箸ケースに関する。
【０００７】
（１）第１開口を有し、前記第１開口を介して補充される箸を収容可能なケース本体と、
前記ケース本体の前記第１開口を開閉可能な開閉部材と
を具備し、
前記ケース本体は、
前記ケース本体に収容される前記箸の基端部が配置される第１部分と、
前記ケース本体に収容される前記箸の先端部が配置される第２部分と、
前記第１部分に設けられ、前記ケース本体に収容される前記箸を、前記基端部側から取り出すための第２開口と
を有する
箸ケース。
（２）前記第２開口の大きさは、１度に３本以上の前記箸を取り出し不能な大きさに設定されている
上記（１）に記載の箸ケース。
（３）前記第２開口は、前記ケース本体の周壁に形成されており、
前記第２開口の高さ方向のサイズは、３０ｍｍ未満である
上記（２）に記載の箸ケース。
（４）前記ケース本体は、
前記第１部分に配置される第１端壁と、
前記第２部分に配置される第２端壁と、
前記第１端壁と前記第２端壁とを連結する正面壁と
を有し、
前記第２開口は、前記第１端壁の一部と、前記正面壁の一部とに跨って形成されている
上記（１）乃至（３）のいずれか一つに記載の箸ケース。
（５）前記ケース本体は、前記ケース本体に収容される前記箸を支持する支持部を有し、
前記支持部は、
次に取り出されるべき第１箸の基端部または次に取り出されるべき第１箸セットの基端部が前記第２開口を介して視認可能なように、前記第１箸または前記第１箸セットを支持する第１支持部と、
前記第１支持部によって支持される前の待機箸を支持し、前記待機箸を前記第１支持部に向けて案内する第２支持部と
を有する
上記（１）乃至（４）のいずれか一つに記載の箸ケース。
（６）前記第２支持部の上面は、前記第１支持部に向かう側が低くなる第１傾斜面を有する
上記（５）に記載の箸ケース。
（７）前記第２部分から前記第１部分に向かう方向を第１方向と定義するとき、前記第１傾斜面より上方の箸収容空間の前記第１方向に垂直な断面の断面積は、前記第２部分から前記第１部分に向かうにつれて大きくなるように構成されている
上記（６）に記載の箸ケース。
（８）前記第１傾斜面は、前記箸の向き、あるいは、複数の前記箸間の間隔を規定する凹部を有する
上記（６）または（７）に記載の箸ケース。
（９）前記第１支持部の上面は、前記第２部分から前記第１部分に向かうにつれて低くなる
上記（５）乃至（８）のいずれか一つに記載の箸ケース。
（１０）前記箸が前記第１開口から取り出されるのを防止する取出防止機構を更に具備する
上記（１）乃至（９）のいずれか一つに記載の箸ケース。
【考案の効果】
【０００８】
本考案により、ユーザの手が多くの箸に触れることを抑制可能な箸ケースを提供することができる。
【図面の簡単な説明】
【０００９】
【図１】図１は、実施形態における箸ケースの一例を模式的に示す概略斜視図である。
【図２】図２は、実施形態における箸ケースの一例を模式的に示す概略側面図である。
【図３】図３は、図１のＡ−Ａ矢視断面図である。
【図４】図４は、図１のＡ−Ａ矢視断面図である。
【図５】図５は、図１の平面Ｂにおける断面図である。
【図６】図６は、図１の平面Ｂにおける断面図である。
【図７】図７は、ケース本体の一例を模式的に示す概略斜視図である。
【図８】図８は、ケース本体の他の一例を模式的に示す概略斜視図である。
【図９】図９は、実施形態における箸ケースの一例を模式的に示す概略正面図である。
【図１０】図１０は、実施形態の変形例における箸ケースの一例を模式的に示す概略斜視図である。
【考案を実施するための形態】
【００１０】
以下、図面を参照しつつ、実施形態における箸ケース１について、詳しく説明する。なお、本明細書において、同種の機能を有する部材には、同一または類似の符号が付されている。そして、同一または類似の符号の付された部材について、繰り返しとなる説明が省略される場合がある。
【００１１】
（実施形態）
図１乃至図１０を参照して、実施形態における箸ケース１の一例について説明する。図１は、実施形態における箸ケース１の一例を模式的に示す概略斜視図である。図２は、実施形態における箸ケース１の一例を模式的に示す概略側面図である。図３および図４は、図１のＡ−Ａ矢視断面図である。なお、図３は、箸９がケース本体１０に収容された状態を示し、図４は、箸９がケース本体１０に収容される前の状態を示す。図５および図６は、図１の平面Ｂにおける断面図である。図５は、箸９がケース本体１０に収容された状態を示し、図６は、箸９がケース本体１０に収容される前の状態を示す。図７は、ケース本体１０の一例を模式的に示す概略斜視図である。図８は、ケース本体１０の他の一例を模式的に示す概略斜視図である。図９は、実施形態における箸ケース１の一例を模式的に示す概略正面図である。なお、図９では、第１支持部５１の上面５１ｕを視認可能なように、箸ケース１の一部が切り欠かれて記載されている。図１０は、実施形態の変形例における箸ケース１の一例を模式的に示す概略斜視図である。
【００１２】
図１に記載の例において、箸ケース１は、ケース本体１０と、開閉部材７０とを具備する。
【００１３】
ケース本体１０は、第１部分２０と、第２部分３０と、第１部分２０と第２部分３０との間に配置される中央部分４０とを備える。また、ケース本体１０は、第１開口ＯＰ１（必要であれば、図７を参照。）と、第２開口ＯＰ２とを備える。ケース本体１０は、第１開口ＯＰ１を介して補充される箸を収容可能である。また、ユーザは、第２開口ＯＰ２を介して、ケース本体１０から箸９を取り出し可能である。
【００１４】
第１部分２０は、ケース本体１０に収容される箸９の基端部９１が配置される部分である。第２部分３０は、ケース本体１０に収容される箸の先端部が配置される部分である。中央部分４０は、ケース本体１０に収容される箸の中央部分が配置される部分である。なお、本明細書において、箸の先端部とは、箸の端部のうち食品をつかむ側の端部を意味する。本明細書において、箸の基端部とは、箸の端部のうち、箸の先端部とは反対側の端部を意味する。また、本明細書において、箸の中央部分とは、箸の先端部と箸の基端部との間の部分を意味する。
【００１５】
図１に記載の例では、ケース本体１０の長手方向における第１端部２０ａが第１部分２０に対応し、ケース本体１０の長手方向における第２端部３０ａが第２部分３０に対応する。
【００１６】
第２開口ＯＰ２は、ケース本体１０の第１部分２０（より具体的には、ケース本体１０の第１端部２０ａ）に設けられている。また、図１に記載の例では、第２開口ＯＰ２は、ケース本体１０の下側部分（換言すれば、ケース本体１０の高さ方向の中心面よりも下方の部分）に設けられている。第２開口ＯＰ２は、ケース本体１０に収容される箸を、基端部９１側から取り出すために使用される。
【００１７】
開閉部材７０は、ケース本体１０の第１開口ＯＰ１（必要であれば、図７を参照。）を開閉可能な部材である。開閉部材７０は、ケース本体１０から完全分離可能であってもよい。代替的に、開閉部材７０は、ヒンジ等を介してケース本体１０に取り付けられていてもよい。図７に記載の例では、第１開口ＯＰ１は、ケース本体１０の頂部１２に形成されている。よって、図１に記載の例では、開閉部材７０は、頂部１２に形成された第１開口ＯＰ１を開閉可能な蓋である。
【００１８】
実施形態における箸ケース１は、箸を補充するための第１開口ＯＰ１と、箸を取り出すための第２開口ＯＰ２とを有する。箸を補充するための開口は、一般的に大きな開口であり、当該開口を介して箸を取り出す場合、ユーザの手が他の多くの箸に触れやすい。これに対し、実施形態における箸ケース１では、箸を取り出すための第２開口ＯＰ２が第１開口ＯＰ１とは別に設けられている。このため、ユーザの手が多くの箸に触れることが抑制される。ユーザの手が多くの箸に触れることが抑制される場合、箸に雑菌等が付着する可能性が低減される。また、ユーザは、他人の手が触れた可能性が低い箸を使用することによって、気持ち良く食事をすることができる。
【００１９】
続いて、図１乃至図１０を参照して、実施形態における箸ケース１において採用可能な任意付加的な構成について説明する。
【００２０】
（第２開口ＯＰ２の大きさ）
ユーザの手が多くの箸に触れるのを抑制する観点から、第２開口ＯＰ２の大きさは、第１開口ＯＰ１の大きさよりも小さいことが好ましい。ただし、例えば、箸を補充するための第１開口ＯＰ１の大きさが小さい場合には、第２開口ＯＰ２の大きさは、第１開口ＯＰ１の大きさと等しくてもよく、あるいは、第２開口ＯＰ２の大きさは、第１開口ＯＰ１の大きさより小さくてもよい。
【００２１】
ユーザの手が、取り出そうとしている２本の箸以外の箸に触れるのを抑制する観点から、第２開口ＯＰ２の大きさは、１度に３本以上の箸を取り出し不能な大きさに設定されていることが好ましい。
【００２２】
一般的に、箸９の基端の外径は、１０ｍｍ以下であることが多い。このため、図２に例示されるように、第２開口ＯＰ２が、ケース本体１０の周壁１１に形成されている場合、当該第２開口ＯＰ２の高さ方向のサイズＨ１は、３０ｍｍ未満であることが好ましい。なお、図２に記載の例では、第２開口ＯＰ２を介して、一度に、２本の箸９（換言すれば、１セットの箸）が取り出されることが想定されている。代替的に、第２開口ＯＰ２を介して、一度に、１本の箸９が取り出されるようにしてもよい。この場合、当該第２開口ＯＰ２の高さ方向のサイズＨ１は、２０ｍｍ未満であってもよい。また、ユーザの手が、極力、３本目の箸（あるいは、２本目の箸）に触れるのを抑制する観点から、第２開口ＯＰ２の高さ方向のサイズＨ１は、２４ｍｍ未満（あるいは、１２ｍｍ未満）であってもよい。
【００２３】
図２に記載の例では、側面視で、第２開口ＯＰ２の幅Ｗ１は、第２開口ＯＰ２の高さ方向のサイズＨ１よりも小さい。換言すれば、第２開口ＯＰ２は、側面視で、縦長の開口である。側面視における第２開口ＯＰ２の幅Ｗ１は、例えば、２０ｍｍ未満、あるいは、１２ｍｍ未満である。
【００２４】
図１に記載の例では、正面視で、第２開口ＯＰ２の幅Ｗ２は、第２開口ＯＰ２の高さ方向のサイズＨ１よりも大きい。換言すれば、第２開口ＯＰ２は、正面視で、横長の開口である。正面視における第２開口ＯＰ２の幅Ｗ２は、例えば、３０ｍｍ以上６０ｍｍ以下である。
【００２５】
図１に記載の例では、正面視において、第２開口ＯＰ２の上縁Ｐａおよび／または下縁Ｐｂは、水平面に対して傾斜している。代替的に、正面視において、第２開口ＯＰ２の上縁Ｐａおよび／または下縁Ｐｂは、水平面に対して平行であってもよい。本明細書において、第２部分３０から第１部分２０に向かう方向を第１方向ＤＲ１と定義する。図１に記載の例では、第２開口ＯＰ２の上縁Ｐａは、第１方向ＤＲ１に向かうにつれて高さが低くなるように構成されている。また、第２開口ＯＰ２の下縁Ｐｂは、第１方向ＤＲ１に向かうにつれて高さが低くなるように構成されている。
【００２６】
（第２開口ＯＰ２が設けられる位置）
図１に記載の例では、ケース本体１０は、第１部分２０に配置される第１端壁２１と、第２部分３０に配置される第２端壁３１と、第１端壁２１と第２端壁３１とを連結する正面壁１５とを備える。また、図１から把握されるように、第２開口ＯＰ２は、正面壁１５に形成されるとともに、図２から把握されるように、第２開口ＯＰ２は、第１端壁２１に形成されている。換言すれば、図１および図２に記載の例では、第２開口ＯＰ２は、第１端壁２１の一部と、正面壁１５の一部とに跨って形成されている。
【００２７】
第２開口ＯＰ２が、第１端壁２１の一部と、正面壁１５の一部とに跨って形成されている場合、第２開口ＯＰ２を介して箸９を取り出すのが容易である。例えば、ユーザは、正面側から第２開口ＯＰ２を介して箸９にアプローチし、当該箸９を第１方向ＤＲ１にスライド移動させ（換言すれば、箸の長手方向に沿ってスライド移動させ）、第２開口ＯＰ２を介して箸９を取り出すことができる。
【００２８】
図１および図２に記載の例では、第２開口ＯＰ２は、正面壁１５の下側部分と、第１端壁２１の下側部分とによって構成される角部に配置されている。このような第２開口ＯＰ２の配置は、意匠の観点からみても、独特の美観を与える。図７に記載の例では、第２開口ＯＰ２は、第１開口ＯＰ１よりも低い位置に形成されている。より具体的には、第１開口ＯＰ１は、ケース本体１０の頂部１２に形成され、第２開口ＯＰ２は、ケース本体１０の底部１３または底部近傍に形成されている。
【００２９】
（支持部５０）
図３に記載の例では、ケース本体１０は、ケース本体１０に収容される箸９を支持する支持部５０を有する。図３に記載の例では、ケース本体１０の一部を構成する周壁１１と、ケース本体１０の一部を構成する支持部５０とが別体である。換言すれば、支持部５０は、周壁１１とは別体の支持部材によって構成されている。代替的に、周壁１１の少なくとも一部と、支持部５０とが一体的に形成されていても構わない。支持部５０は、例えば、樹脂製である。
【００３０】
図３に記載の例では、支持部５０は、第１支持部５１と、第２支持部５６とを有する。ケース本体１０から次に取り出されるべき箸９を「第１箸９ａ」と定義するとき、第１支持部５１は、第１箸９ａを支持する。あるいは、ケース本体１０から次に取り出されるべき２本の箸９を「第１箸セット９ａ、９ｂ」と定義するとき、第１支持部５１は、第１箸セット９ａ、９ｂを支持する。
【００３１】
図１に例示されるように、第１支持部５１は、第１箸９ａの基端部９１ａまたは第１箸セット９ａ、９ｂの基端部９１ａ、９１ｂが第２開口ＯＰ２を介して視認可能なように、第１箸９ａまたは第１箸セット９ａ、９ｂを支持する。
【００３２】
本明細書において、ケース本体１０の正面壁１５からケース本体１０の背面壁１７に向かう方向を第２方向ＤＲ２と定義する。図４に記載の例では、第１支持部５１の第２方向ＤＲ２に沿う方向における長さＬ１（換言すれば、第１支持部５１の幅）は、箸の基端の外径の２倍よりも小さい。長さＬ１は、例えば、２０ｍｍ未満、あるいは、１２ｍｍ未満であることが好ましい。長さＬ１が短い場合には、第１支持部５１によって支持される箸９が、横方向に並ぶこと、換言すれば、第２方向ＤＲ２に並ぶことが防止される。
【００３３】
図３に例示されるように、第２支持部５６は、第１支持部５１によって支持される前の待機箸９ｃを支持し、待機箸９ｃを第１支持部５１に向けて案内する。
【００３４】
図１乃至図３に記載の例では、ケース本体１０は、第２開口ＯＰ２に隣接配置される第１支持部５１と、第１支持部５１に向けて待機箸９ｃを案内する第２支持部５６とを有する。このため、待機箸９ｃが円滑に第１支持部５１に案内され、第１支持部５１によって支持された第１箸９ａ（または、第１箸セット９ａ、９ｂ）が、第２開口ＯＰ２を介して、ケース本体１０の外部に円滑に取り出される。
【００３５】
図３に記載の例では、第２支持部５６の上面５６ｕは、第１支持部５１に向かう側が低くなる第１傾斜面５６０を有する。第２支持部５６が第１傾斜面５６０を有していることにより、待機箸９ｃに作用する重力によって、待機箸９ｃが第１支持部５１に向けて円滑に移動する。より具体的には、第１傾斜面５６０に接触する待機箸９ｃは、第１支持部５１に向けて、第１傾斜面５６０上を転動および／またはスライド移動する。
【００３６】
図４に記載の例では、第１傾斜面５６０は、平面状の傾斜面である。代替的に、第１傾斜面５６０は、湾曲面状の傾斜面（例えば、凹面状の傾斜面）であってもよい。図４に記載の例において、第１傾斜面５６０の傾斜角度、より具体的には、ケース本体１０の長手方向の中央をとおる断面（すなわち、図１のＡ−Ａ断面を示す図４）において、第１傾斜面５６０の最上端５６０ｐと第１傾斜面５６０の最下端５６０ｑとを結ぶ線分と、水平面との間のなす角度αは、例えば、５度以上４５度以下、あるいは、１０度以上３０度以下である。
【００３７】
図４および図６から把握されるように、第１傾斜面５６０の直上の箸収容空間の第１方向ＤＲ１に垂直な断面の断面積（クロスラインによるハッチングが付与された部分の面積）は、第１方向ＤＲ１に向かうにつれて（換言すれば、第２部分３０から第１部分２０に向かうにつれて）、大きくなるように構成されていてもよい。
【００３８】
先細り形状を有する箸が積み重ねられた状態で収容されると、上方に位置する箸の長手方向中心軸が水平面に対して大きく傾斜する。これに対し、箸９の先端部が収容される領域（図６を参照。）の断面積が相対的に小さく設定され、箸の基端部が収容される領域の断面積が相対的に大きく設定される場合、積み重ねられた状態の複数の箸が、全体として、水平方向から大きく傾斜することなく配置されることとなる。その結果、第１傾斜面５６０の上方の領域に位置する待機箸９ｃが転動しやすくなり、待機箸９ｃが第１支持部５１に向けて円滑に案内される。
【００３９】
図７に例示されるように、ケース本体１０が、正面壁１５、背面壁１７、第１端壁２１、および、第２端壁３１を有する場合、第１傾斜面５６０は、背面壁１７から正面壁１５に向かうにつれて徐々に低くなるように設定されていてもよい。また、第１傾斜面５６０は、第２端壁３１から第１端壁２１に向かうにつれて徐々に低くなるように設定されていてもよい。この場合も、箸の基端部が収容される領域の断面積が、箸の先端部が収容される領域の断面積よりも、相対的に大きく設定されることとなる。
【００４０】
図８に例示されるように、第１傾斜面５６０は、箸９の向き、あるいは、複数の箸９間の間隔を規定する凹部５６０ｄを有していてもよい。図８に記載の例では、凹部５６０ｄは、複数の凹溝５６０ｄ−１乃至５６０ｄ−７を含む。箸９が、１つの凹溝に沿って配置されることにより、箸９の向きが修正される。また、複数の箸９が、複数の凹溝に沿って配置されることにより、複数の箸９間の間隔が修正される。図８に記載の例では、第１部分２０における２つの隣接する凹溝間の間隔が、第２部分３０における２つの隣接する凹溝間の間隔よりも大きい。
【００４１】
図９に例示されるように、第１支持部５１の上面５１ｕは、第１方向ＤＲ１に向かうにつれて（換言すれば、第２部分３０から第１部分２０に向かうにつれて）、低くなるように構成されていてもよい。
【００４２】
先細り形状を有する箸が積み重ねられた状態で収容されると、上方に位置する箸の長手方向中心軸が水平面に対して大きく傾斜する。これに対し、第１支持部５１の上面５１ｕのうち箸９の先端部が配置される領域の高さが相対的に高く設定され、第１支持部５１の上面５１ｕのうち箸９の基端部が配置される領域の高さが相対的に低く設定される場合、第１支持部５１上に積み重ねられた状態の複数の箸が、全体として、水平方向から大きく傾斜することなく配置されることとなる。また、第１支持部５１の上面５１ｕが、第１方向ＤＲ１に向かうにつれて低くなるように構成されている場合、箸９の基端部９１が、より確実に、第２開口ＯＰ２を介して視認可能な位置に向かいやすい。
【００４３】
図９に記載の例において、第１支持部５１の上面５１ｕの傾斜角度、より具体的には、第１支持部５１の上面５１ｕの第１端壁２１側の端と第１支持部５１の上面５１ｕの第２端壁３１側の端とを結ぶ線分と、水平面との間のなす角度βは、例えば、１度以上２０度以下、あるいは、３度以上１０度以下である。
【００４４】
図３に記載の例では、支持部５０は、第１支持部５１と第２支持部５６とを連結する連結壁５８を有する。連結壁５８は、第１支持部５１によって支持される箸９が、連結壁５８を超えて背面壁１７側に移動することを防止する。図３に記載の例では、正面壁１５と第１支持部５１と連結壁５８とによって、次に取り出されるべき第１箸９ａ、あるいは、次に取り出されるべき第１箸セット９ａ、９ｂを収容する凹部が形成される。連結壁５８は、鉛直方向に延在する壁であってもよいし、鉛直方向に対して多少傾斜した壁であってもよい。
【００４５】
（第１開口ＯＰ１）
図７に記載の例では、第１開口ＯＰ１は、ケース本体１０の頂部１２に設けられている。この場合、箸９は、ケース本体１０の頂部から補充される。図７に記載の例では、第１開口ＯＰ１は、平面視で、略長方形形状を有する。図７に記載の例では、第１開口ＯＰ１が、ケース本体１０の頂部１２に設けられているが、第１開口ＯＰ１は、ケース本体１０の周壁１１に設けられていてもよい。
【００４６】
（取出防止機構８０）
図１０に例示されるように、箸ケース１は、箸９が第１開口ＯＰ１から取り出されるのを防止する取出防止機構８０を備えていてもよい。図１０に記載の例では、取出防止機構８０は、開閉部材７０を閉位置にロックするロック機構８０ａである。箸ケース１が取出防止機構８０を備える場合には、ユーザが、箸を補充するための第１開口ＯＰ１を介して、箸を取り出すことが防止される。
【００４７】
取出防止機構８０（あるいは、ロック機構８０ａ）は、鍵穴８１と、鍵穴８１に挿入可能な鍵８２とを備えていてもよい。代替的に、取出防止機構８０は、ケース本体１０に設けられた第１係合部と、開閉部材７０に設けられた第２係合部との間の係合状態を保持する任意の操作部（例えば、回転可能な摘み部等）を有していてもよい。すなわち、取出防止機構８０としては、客が不用意に開閉部材７０を開位置に移動させることを抑制する任意の機構を採用することができる。
【００４８】
（箸ケース１の全体構造）
図３に記載の例では、箸ケース１は、ケース本体１０と、開閉部材７０とを備える。箸ケース１は、ケース本体１０の下部に配置されるベース７５（換言すれば、台座）を備えていてもよい。図３に記載の例では、ケース本体１０とベース７５とは別体であり、ケース本体１０にベース７５が取り付けられている。代替的に、ケース本体１０とベース７５とは一体成形されていてもよい。
【００４９】
図７に記載の例では、ケース本体１０は、正面壁１５と、第１端壁２１と、背面壁１７と、第２端壁３１とを有する。正面壁１５と、第１端壁２１と、背面壁１７と、第２端壁３１とは、平面視で環状の周壁１１を構成する。図７に記載の例では、周壁１１は、平面視で略長方形形状を有する。
【００５０】
正面壁１５および背面壁１７の各々は、正面視で、横長形状（より具体的には、略長方形形状）を有する。正面壁１５の長さ（換言すれば、第１方向ＤＲ１に沿う方向の長さ）は、箸９の長さよりも長い。図７に記載の例では、正面壁１５の高さは、箸９の長さよりも短い。図７に記載の例では、正面壁１５の下側の角部または下側の角部の近傍に第２開口ＯＰ２が形成されている。
【００５１】
図２に記載の例では、第１端壁２１は、側面視で、略矩形形状を有する。図２に記載の例では、第１端壁２１の高さは箸９の長さよりも短く、第１端壁２１の幅は箸９の長さよりも短い。図２に記載の例では、第１端壁２１の下側の角部または下側の角部の近傍に第２開口ＯＰ２が形成されている。
【００５２】
図３に記載の例では、ケース本体１０には、底壁が設けられていない。代替的に、ケース本体１０は、底壁を有していてもよい。図３に記載の例では、ケース本体１０は、ベース７５に固定されている。代替的に、ケース本体１０は、ベース７５に対して相対移動可能であってもよい。例えば、ケース本体１０は、側部に開口を有する筐体タイプのベース７５に対してスライド移動可能な引き出しタイプのケース本体であってもよい。この場合、筐体タイプのベース７５の頂壁が、ケース本体の第１開口ＯＰ１を開閉可能な開閉部材７０として機能する。
【００５３】
ケース本体１０は、例えば、樹脂製である。ケース本体１０は、１つの部材によって構成されていてもよく、複数の部材のアセンブリによって構成されていてもよい。例えば、ケース本体１０は、正面壁１５と、背面壁１７と、第１端壁２１と、第２端壁３１とを有する枠体に、第１支持部５１と第２支持部５６とを有する支持部材を取り付けることにより組み立てられてもよい。
【００５４】
図１０に例示されるように、ケース本体１０の少なくとも一部、および／または、開閉部材７０の少なくとも一部は、ケース本体１０に収容された箸を視認可能な透明部材７３によって構成されていてもよい。透明部材７３は、例えば、透明な樹脂、あるいは、ガラスによって構成される。ケース本体１０の少なくとも一部、および／または、開閉部材７０の少なくとも一部が透明部材７３によって構成される場合には、ユーザ（例えば、店員）は、容易に、ケース本体１０に収容されている箸９の残量を確認することができる。
【００５５】
図１０に記載の例では、開閉部材７０の一部が透明部材７３によって構成されている。代替的に、あるいは、付加的に、ケース本体１０の周壁１１の一部、あるいは、周壁１１の全体が透明部材によって構成されていてもよい。
【００５６】
本考案は上記各実施形態に限定されず、本考案の技術思想の範囲内において、各実施形態または各変形例は適宜変形又は変更され得ることは明らかである。また、各実施形態または各変形例で用いられる種々の技術は、技術的矛盾が生じない限り、他の実施形態または他の変形例にも適用可能である。さらに、各実施形態または各変形例における任意付加的な構成は、適宜省略可能である。
【産業上の利用可能性】
【００５７】
本考案の箸ケースを用いると、ユーザの手が多くの箸に触れることが抑制される。この場合、箸に雑菌等が付着する可能性が低減され、ユーザは気持ち良く食事をすることができる。したがって、箸を使用するユーザ、箸ケースを設置する飲食業者、および、箸ケースを製造する製造業者にとって有用である。
【符号の説明】
【００５８】
１…箸ケース、９、９ａ、９ｂ、９ｃ…箸、１０…ケース本体、１１…周壁、１２…頂部、１３…底部、１５…正面壁、１７…背面壁、２０…第１部分、２０ａ…第１端部、２１…第１端壁、３０…第２部分、３０ａ…第２端部、３１…第２端壁、４０…中央部分、５０…支持部、５１…第１支持部、５１ｕ…上面、５６…第２支持部、５６ｕ…上面、５８…連結壁、７０…開閉部材、７３…透明部材、７５…ベース、８０…取出防止機構、８０ａ…ロック機構、８１…鍵穴、８２…鍵、９１、９１ａ、９１ｂ…基端部、５６０…第１傾斜面、５６０ｄ、５６０ｄ−１乃至５６０ｄ−７…凹溝、５６０ｐ…最上端、５６０ｑ…最下端、Ｐａ…上縁、Ｐｂ…下縁
【図１】
0003227632.tif 000003
【図２】
0003227632.tif 000004
【図３】
0003227632.tif 000005
【図４】
0003227632.tif 000006
【図５】
0003227632.tif 000007
【図６】
0003227632.tif 000008
【図７】
0003227632.tif 000009
【図８】
0003227632.tif 000010
【図９】
0003227632.tif 000011
【図１０】
0003227632.tif 000012